(57)【要約】【課題】上側吹出口から異物が誤って入っても、下側吹出口から異物を容易に取り出すことができ、異物によるシャッター開閉動作の不具合を防止できる空気調和機を提供する。【解決手段】送風用の室内ファン８と、室内ファン８からの空気調和用の空気を吹き出す上側吹出口２２aと、室内ファン８からの空気調和用の空気を吹き出す下側吹出口２２bと、下側吹出口２２bを開閉するためのシャッター３０と、シャッター３０を駆動するシャッター駆動部３１とを備える。運転停止時にシャッター駆動部３１によりシャッター３０を駆動して下側吹出口２２bを全開状態にする。上記シャッター３０が開いた状態で、室内ファン８からの空気を下側吹出口２２bに導く下側吹き出し通路Ｐ２を形成する壁面のうちの下側壁面の一部をシャッター３０の側面により形成する。【選択図】図３
2008144985.tif 000002
【特許請求の範囲】
【請求項１】
本体ケーシング(２１,２２)と、
上記本体ケーシング(２１,２２)内に配置された送風用のファン(８)と、
上記本体ケーシング(２１,２２)の上部に設けられ、上記ファン(８)からの空気調和用の空気を吹き出す上側吹出口(２２a)と、
上記本体ケーシング(２１,２２)の下部に設けられ、上記ファン(８)からの空気調和用の空気を吹き出す下側吹出口(２２b)と、
上記下側吹出口(２２b)を開閉するためのシャッター(３０)と、
上記シャッター(３０)を駆動するシャッター駆動部(３１)と
を備え、
運転停止時に、上記シャッター駆動部(３１)により上記シャッター(３０)を駆動して、上記下側吹出口(２２b)を全開状態にすることを特徴とする空気調和機。
【請求項２】
請求項１に記載の空気調和機において、
上記本体ケーシング(２１,２２)内に、上記ファン(８)からの空気調和用の空気を上記下側吹出口(２２b)に導く下側吹き出し通路(Ｐ２)が設けられ、
上記シャッター(３０)は、上記下側吹き出し通路(Ｐ２)の下側に設けられた軸を中心に回動し、
上記シャッター(３０)の全開状態において、上記下側吹き出し通路(Ｐ２)を形成する壁面のうちの下側壁面の一部を上記シャッター(３０)の側面により形成していることを特徴とする空気調和機。
【発明の詳細な説明】
【技術分野】
【０００１】
この発明は、空気調和機に関する。
【背景技術】
【０００２】
従来、空気調和機としては、ファンからの空気を上側に吹き出す上吹出口と、ファンからの空気を下側前方に吹き出す下吹出口と、上吹出口を開閉する上ダンパと、下吹出口を開閉する下ダンパとを備えたものがある(例えば、特開２０００−２０８３６６号公報(特許文献１)参照)。
【０００３】
この空気調和機では、冷房運転時に上ダンパを開状態にし下ダンパを閉状態にして、足下に冷風が吹き出さないようにする一方、暖房運転時に上ダンパを閉状態にし下ダンパを開状態にして、足下に暖かい温風を送るようにしている。
【０００４】
ところで、上記空気調和機の冷房運転停止後、上ダンパを開状態にし下ダンパを閉状態のままとすると、上吹出口から異物が誤って入ってしまったときに、閉状態の下ダンパで異物が止まってしまい、異物が下吹出口から出てこない場合がある。また、そのような異物が詰まった状態では、次の運転開始時に下ダンパの開閉動作させるとき、異物により下ダンパが正常に動かなくなる恐れがある。
【特許文献１】特開２０００−２０８３６６号公報
【発明の開示】
【発明が解決しようとする課題】
【０００５】
そこで、この発明の課題は、上側吹出口から異物が誤って入っても、下側吹出口から異物を容易に取り出すことができ、異物によるシャッター開閉動作の不具合を防止できる空気調和機を提供することにある。
【課題を解決するための手段】
【０００６】
上記課題を解決するため、この発明の空気調和機は、
本体ケーシングと、
上記本体ケーシング内に配置された送風用のファンと、
上記本体ケーシングの上部に設けられ、上記ファンからの空気調和用の空気を吹き出す上側吹出口と、
上記本体ケーシングの下部に設けられ、上記ファンからの空気調和用の空気を吹き出す下側吹出口と、
上記下側吹出口を開閉するためのシャッターと、
上記シャッターを駆動するシャッター駆動部と
を備え、
運転停止時に、上記シャッター駆動部により上記シャッターを駆動して、上記下側吹出口を全開状態にすることを特徴とする。
【０００７】
上記構成の空気調和機によれば、運転停止時に、シャッター駆動部によりシャッターを駆動して、下側吹出口を全開状態とすることによって、上側吹出口から異物が誤って入っても、シャッターが邪魔にならずに下側吹出口から異物を容易に取り出すことができる。また、下側吹出口の風通路内に入った異物でシャッターの開閉動作に不具合が生じるのを防止できる。
【０００８】
また、一実施形態の空気調和機では、
上記本体ケーシング内に、上記ファンからの空気調和用の空気を上記下側吹出口に導く下側吹き出し通路が設けられ、
上記シャッターは、上記下側吹き出し通路の下側に設けられた軸を中心に回動し、
上記シャッターの全開状態において、上記下側吹き出し通路を形成する壁面のうちの下側壁面の一部を上記シャッターの側面により形成している。
【０００９】
上記実施形態によれば、上記下側吹き出し通路の下側に設けられた軸を中心にシャッターを回動させて下側吹出口を全開にした状態で、下側吹き出し通路を形成する壁面のうちの下側壁面の一部をシャッターの側面により形成することによって、下側吹き出し通路の下側壁面に段差がないので、下側吹き出し通路内に入った異物が、下側吹き出し通路の途中で引っ掛かることなく下方の下側吹出口近傍または下側吹出口から外側に出てくる。これにより、異物の除去が容易にできる。
【発明の効果】
【００１０】
以上より明らかなように、この発明の空気調和機によれば、上側吹出口から異物が誤って入っても、下側吹出口から異物を容易に取り出すことができ、異物によるシャッター開閉動作の不具合を防止できる空気調和機を実現することができる。
【００１１】
また、一実施形態の空気調和機によれば、下側吹き出し通路の下側に設けられた軸を中心に回動するシャッターが開いた状態で、下側吹き出し通路を形成する壁面のうちの下側壁面の一部をシャッターの側面により形成して、下側吹き出し通路の下側壁面に段差がないようにすることによって、侵入した異物が下側吹き出し通路の途中で引っ掛かることがなく、下方の下側吹出口近傍または下側吹出口から外側に出てくるので、異物の除去が容易にできる。
【発明を実施するための最良の形態】
【００１２】
以下、この発明の空気調和機を図示の実施の形態により詳細に説明する。
【００１３】
図１はこの発明の実施の一形態の空気調和機の冷媒回路の回路図を示している。この空気調和機は、図１に示すように、圧縮機１と、上記圧縮機１の吐出側が一端に接続された四路弁２と、上記四路弁２の他端に一端が接続された室外熱交換器３と、上記室外熱交換器３の他端に一端が接続された電動膨張弁４と、上記電動膨張弁４の他端に閉鎖弁１２を介して一端が接続された室内熱交換器５と、上記室内熱交換器５の他端に閉鎖弁１３,四路弁２を介して一端が接続され、他端が圧縮機１の吸入側に接続されたアキュムレータ６とを備えている。上記圧縮機１,四路弁２,室外熱交換器３,電動膨張弁４, 室内熱交換器５およびアキュムレータ６で冷媒回路を構成している。
【００１４】
また、この空気調和機は、室外熱交換器３近傍に配置された室外ファン７と、室内熱交換器５近傍に配置された室内ファン８と、フラップ２４を駆動するフラップ駆動部３２と、シャッター３０(図３に示す)を駆動するシャッター駆動部３１と、上記圧縮機１,電動膨張弁４,室外ファン７,室内ファン８,フラップ駆動部３２,シャッター駆動部３１等を制御する制御装置１１を備えている。
【００１５】
上記制御装置１１は、マイクロコンピュータと入出力回路などからなり、フラップ駆動部３２を制御するフラップ制御部１１aと、シャッター駆動部３１を制御するシャッター制御部１１bとを有する。
【００１６】
上記圧縮機１,四路弁２,室外熱交換器３,電動膨張弁４,アキュムレータ６,室外ファン７および制御装置１１で室外機１０を構成し、室内熱交換器５,室内ファン８,フラップ駆動部３２およびシャッター駆動部３１で室内機２０を構成している。
【００１７】
上記構成の空気調和機において、暖房運転時、四路切換弁２を実線の切換え位置に切り換えて、圧縮機１を起動すると、圧縮機１から吐出された高圧冷媒が四路切換弁２を通って室内熱交換器５に入る。そして、上記室内熱交換器５で凝縮した冷媒は、電動膨張弁４で減圧された後に室外熱交換器３に入る。上記室外熱交換器３で蒸発した冷媒が四路切換弁２およびアキュームレータ６を介して圧縮機１の吸入側に戻る。こうして、上記圧縮機１,室内熱交換器５,電動膨張弁４,室外熱交換器３およびアキュームレータ６で構成された冷媒回路を冷媒が循環して、冷凍サイクルを実行する。そして、室内ファン８により室内熱交換器５を介して室内空気を循環させることにより室内を暖房する。
【００１８】
これに対して、冷房運転時は、四路切換弁２を点線の切換え位置に切り換えて、圧縮機１,室外熱交換器３,電動膨張弁４,室内熱交換器５およびアキュームレータ６の順に冷媒が循環する冷凍サイクルを実行する。
【００１９】
図２は上記空気調和機の床置き型の室内機２０の斜視図を示している。この室内機２０は、図２に示すように、室内の壁面に後面側が取り付けられる略長方形状の底フレーム２１と、上記底フレーム２１の前面側に取り付けられ、前面に略長方形状の開口部２２cを有する前面グリル２２と、前面グリル２２の開口部２２cを覆うように取り付けられた前面パネル２３とを備えている。上記底フレーム２１と前面グリル２２で本体ケーシングを構成している。
【００２０】
上記前面グリル２２の上部に上側吹出口２２aを設けると共に、前面グリル２２の下部に下側吹出口２２bを設けている。上記前面グリル２２の上側吹出口２２aにフラップ２４を設けている。このフラップ２４は、冷房運転および暖房運転時に回動して、上側吹出口２２aから冷風,温風を前方かつ斜め上方に吹き出すようにし、停止時は、図２に示すように、上側吹出口２２aを覆う。
【００２１】
また、上記前面パネル２３の上側に上側吸込口２３aを設け、前面パネル２３の下側に下側吸込口２３bを設け、さらに前面パネル２３の左右の側面に側方吸込口２３c(図２では右側のみを示す)を設けている。
【００２２】
また、図３は上記空気調和機の室内機２０の断面図を示しており、図３に示すように、底フレーム２１の略中央にモータ２６を固定している。このモータ２６の軸が接続された送風用のファンの一例としての室内ファン８を、軸が前後方向になるように底フレーム２１に配置している。上記室内ファン８は、前面側から吸い込んだ空気を軸に対して半径方向外向に吹き出すターボファンである。また、上記底フレーム２１に室内ファン８の前面側にベルマウス２７を設けている。そして、上記ベルマウス２７の前面側に室内熱交換器５を配置し、その室内熱交換器５の前面側に前面グリル２２を取り付け、その前面グリル２２の前面側に前面パネル２３を取り付けている。上記前面グリル２２の開口部２２ｃにフィルタ２５を取り付けている。また、上記ベルマウス２７の下部かつ室内熱交換器５の下側には、ドレンパン２８を配置している。
【００２３】
また、前面グリル２２の上側吹き出し通路Ｐ１の上側吹出口２２aに、吹き出し方向を上下方向に制御するフラップ２４を配置している。このフラップ２４は、底フレーム２１側に設けられた軸(図示せず)を中心にフラップ駆動部３２(図１に示す)により回動し、一点鎖線で示すＡ１が開状態であり、実線で示すＢ１が閉状態である。
【００２４】
一方、前面グリル２２の下側吹き出し通路Ｐ２内に、下側吹出口２２bを開閉するシャッター３０を配置している。このシャッター３０は、底フレーム２１側かつ下側吹き出し通路Ｐ２の下側に設けられた軸３０aを中心にシャッター駆動部３１(図１に示す)により回動し、一点鎖線で示すＡ２が全開状態であり、Ｂ２が全閉状態である。上記シャッター３０が開いた状態では、下側吹き出し通路Ｐ２を形成する壁面のうちの下側壁面の一部をシャッター３０の側面により形成して、下側吹き出し通路Ｐ２の下側の湾曲した傾斜面に段差がないようにしている。
【００２５】
上記室内ファン８によって前面グリル２２の開口部２２c側から吸い込んだ空気を軸に対して半径方向外向に吹き出すことにより、上側吹き出し通路Ｐ１を介して上側吹出口２２aから斜め上前方に空気を吹き出す一方、下側吹き出し通路Ｐ２を介して下側吹出口２２bから前方に空気を吹き出す。
【００２６】
次に、上記空気調和機の制御装置１１の停止動作を図４に示すフローチャートにより説明する。なお、この停止処理は、冷暖房運転中に繰り返し行われる。
【００２７】
停止処理がスタートすると、ステップＳ１で運転停止か否かを判定し、運転停止と判定すると、ステップＳ２に進む一方、運転停止でないと判定すると、この処理を終了する。
【００２８】
次に、ステップＳ２でフラップ駆動部３２によりフラップ２４を回動させて閉状態とすることにより上側吹出口２２aを閉めて、ステップＳ３に進む。
【００２９】
次に、ステップＳ３でシャッター３０が閉じた状態か否かを判定して、シャッター３０が閉じた状態であると判定すると、ステップＳ４に進む一方、シャッター３０が閉じた状態でないと判定すると、この処理を終了する。
【００３０】
次に、ステップＳ４でシャッター駆動部３１によりシャッター３０を開けて、下側吹出口２２bを全開状態にし、この処理を終了する。
【００３１】
図５は上記空気調和機の室内機２０のフラップ２４とシャッター３０の動作状態を示す模式図を示しており、図５(a)〜図５(d)において、８は室内ファンを示している。
【００３２】
図５(a)はフラップ２４を回動させて上側吹出口２２aを開き、下側吹出口２２bを開閉するシャッター３０が軸３０aを中心に回動することを示し、図５(b)は上側吹出口２２aを開いた状態で、下側吹出口２２bをシャッター３０により閉じた状態を示している。また、図５(c)は上側吹出口２２aを開いた状態で、シャッター３０を下側吹き出し通路Ｐ２の下側壁面に沿うように後面側に倒して、下側吹出口２２bを開いた状態を示している。
【００３３】
ここで、図５(b)の状態で上側吹出口２２aから異物が混入した後、図５(c)のようにシャッター３０を回動させると、図５(d)に示すように異物５０によりシャッター３０の動作に不具合を生じることになる。
【００３４】
これに対して、この発明の実施の形態の空気調和機によれば、運転停止時にシャッター駆動部３１によりシャッター３０を駆動して下側吹出口２２bを全開状態にすることによって、上側吹出口２２aから異物が誤って入っても、下側吹出口２２bから異物を容易に取り出すことができ、異物によるシャッター３０の開閉動作の不具合を防止できる空気調和機を実現することができる。
【００３５】
また、上記下側吹き出し通路Ｐ２の下側に設けられた軸３０aを中心にシャッター３０を回動させて下側吹出口２２bを全開にした状態で、下側吹き出し通路Ｐ２を形成する壁面のうちの下側壁面の一部をシャッター３０の側面により形成して、下側吹き出し通路Ｐ２の下側の湾曲した傾斜面に段差がないようにすることによって、侵入した異物が下側吹き出し通路Ｐ２の途中で引っ掛かることがなく、下方の下側吹出口２２b近傍または下側吹出口２２bから外側に出てくるので、異物の除去が容易にできる。
【００３６】
上記実施の形態では、前面側から吸い込んだ空気を軸に対して半径方向外向に吹き出すターボファンを室内ファン８に用いた空気調和機について説明したが、送風用のファンはこれに限らず、他の遠心ファン等を用いた空気調和機にこの発明を適用してもよい。
【００３７】
また、上記実施の形態では、室外機と室内機を備えたセパレートタイプの空気調和機について説明したが、他の構成の空気調和機にこの発明を適用してもよい。
【図面の簡単な説明】
【００３８】
【図１】図１はこの発明の実施の一形態の空気調和機の冷媒回路の回路図である。
【図２】図２は上記空気調和機の床置き型の室内機の斜視図である。
【図３】図３は上記空気調和機の室内機の断面図である。
【図４】図４は上記空気調和機の制御装置の動作を説明するフローチャートである。
【図５】図５は上記空気調和機の室内機のフラップとシャッターの動作状態を示す模式図である。
【符号の説明】
【００３９】
１…圧縮機
２…四路弁
３…室外熱交換器
４…電動膨張弁
５…室内熱交換器
６…アキュムレータ
７…室外ファン
８…室内ファン
１０…室外機
１１…制御装置
１１a…フラップ制御部
１１b…シャッター制御部
１２,１３…閉鎖弁
２０…室内機
２１…底フレーム
２２…前面グリル
２２a…上側吹出口
２２b…下側吹出口
２２c…開口部
２３…前面パネル
２３a…上側吸込口
２３b…下側吸込口
２３c…側方吸込口
２４…フラップ
２５…フィルタ
２６…モータ
２７…ベルマウス
３０…シャッター
３１…シャッター駆動部
３２…フラップ駆動部
Ｐ１…上側吹き出し通路
Ｐ２…下側吹き出し通路
【図１】
2008144985.tif 000003
【図２】
2008144985.tif 000004
【図３】
2008144985.tif 000005
【図４】
2008144985.tif 000006
【図５】
2008144985.tif 000007
【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
本体ケーシング(２１,２２)と、
上記本体ケーシング(２１,２２)内に配置された送風用のファン(８)と、
上記本体ケーシング(２１,２２)の上部に設けられ、上記ファン(８)からの空気調和用の空気を吹き出す上側吹出口(２２a)と、
上記上側吹出口(２２a)に設けられたフラップ(２４)と、
上記本体ケーシング(２１,２２)の下部に設けられ、上記ファン(８)からの空気調和用の空気を吹き出す下側吹出口(２２b)と、
上記下側吹出口(２２b)を開閉するためのシャッター(３０)と、
上記シャッター(３０)を駆動するシャッター駆動部(３１)と
を備え、
運転を停止すると停止動作として、上記フラップ(２４)を全閉状態とした後、上記シャッター駆動部(３１)により上記シャッター(３０)を駆動して、上記下側吹出口(２２b)を全開状態にすることを特徴とする空気調和機。
【請求項２】
請求項１に記載の空気調和機において、
上記本体ケーシング(２１,２２)内に、上記ファン(８)からの空気調和用の空気を上記下側吹出口(２２b)に導く下側吹き出し通路(Ｐ２)が設けられ、
上記シャッター(３０)は、上記下側吹き出し通路(Ｐ２)の下側に設けられた軸を中心に回動し、
上記シャッター(３０)の全開状態において、上記下側吹き出し通路(Ｐ２)を形成する壁面のうちの下側壁面の一部を上記シャッター(３０)の側面により形成していることを特徴とする空気調和機。
【手続補正２】
【補正対象書類名】明細書
【補正対象項目名】全文
【補正方法】変更
【補正の内容】
【発明の詳細な説明】
【技術分野】
【０００１】
この発明は、空気調和機に関する。
【背景技術】
【０００２】
従来、空気調和機としては、ファンからの空気を上側に吹き出す上吹出口と、ファンからの空気を下側前方に吹き出す下吹出口と、上吹出口を開閉する上ダンパと、下吹出口を開閉する下ダンパとを備えたものがある(例えば、特開２０００−２０８３６６号公報(特許文献１)参照)。
【０００３】
この空気調和機では、冷房運転時に上ダンパを開状態にし下ダンパを閉状態にして、足下に冷風が吹き出さないようにする一方、暖房運転時に上ダンパを閉状態にし下ダンパを開状態にして、足下に暖かい温風を送るようにしている。
【０００４】
ところで、上記空気調和機の冷房運転停止後、上ダンパを開状態にし下ダンパを閉状態のままとすると、上吹出口から異物が誤って入ってしまったときに、閉状態の下ダンパで異物が止まってしまい、異物が下吹出口から出てこない場合がある。また、そのような異物が詰まった状態では、次の運転開始時に下ダンパの開閉動作させるとき、異物により下ダンパが正常に動かなくなる恐れがある。
【特許文献１】特開２０００−２０８３６６号公報
【発明の開示】
【発明が解決しようとする課題】
【０００５】
そこで、この発明の課題は、上側吹出口から異物が誤って入っても、下側吹出口から異物を容易に取り出すことができ、異物によるシャッター開閉動作の不具合を防止できる空気調和機を提供することにある。
【課題を解決するための手段】
【０００６】
上記課題を解決するため、この発明の空気調和機は、
本体ケーシングと、
上記本体ケーシング内に配置された送風用のファンと、
上記本体ケーシングの上部に設けられ、上記ファンからの空気調和用の空気を吹き出す上側吹出口と、
上記上側吹出口に設けられたフラップと、
上記本体ケーシングの下部に設けられ、上記ファンからの空気調和用の空気を吹き出す下側吹出口と、
上記下側吹出口を開閉するためのシャッターと、
上記シャッターを駆動するシャッター駆動部と
を備え、
運転を停止すると停止動作として、上記フラップを全閉状態とした後、上記シャッター駆動部により上記シャッターを駆動して、上記下側吹出口を全開状態にすることを特徴とする。
【０００７】
上記構成の空気調和機によれば、運転停止時に、シャッター駆動部によりシャッターを駆動して、下側吹出口を全開状態とすることによって、上側吹出口から異物が誤って入っても、シャッターが邪魔にならずに下側吹出口から異物を容易に取り出すことができる。また、下側吹出口の風通路内に入った異物でシャッターの開閉動作に不具合が生じるのを防止できる。
【０００８】
また、一実施形態の空気調和機では、
上記本体ケーシング内に、上記ファンからの空気調和用の空気を上記下側吹出口に導く下側吹き出し通路が設けられ、
上記シャッターは、上記下側吹き出し通路の下側に設けられた軸を中心に回動し、
上記シャッターの全開状態において、上記下側吹き出し通路を形成する壁面のうちの下側壁面の一部を上記シャッターの側面により形成している。
【０００９】
上記実施形態によれば、上記下側吹き出し通路の下側に設けられた軸を中心にシャッターを回動させて下側吹出口を全開にした状態で、下側吹き出し通路を形成する壁面のうちの下側壁面の一部をシャッターの側面により形成することによって、下側吹き出し通路の下側壁面に段差がないので、下側吹き出し通路内に入った異物が、下側吹き出し通路の途中で引っ掛かることなく下方の下側吹出口近傍または下側吹出口から外側に出てくる。これにより、異物の除去が容易にできる。
【発明の効果】
【００１０】
以上より明らかなように、この発明の空気調和機によれば、上側吹出口から異物が誤って入っても、下側吹出口から異物を容易に取り出すことができ、異物によるシャッター開閉動作の不具合を防止できる空気調和機を実現することができる。
【００１１】
また、一実施形態の空気調和機によれば、下側吹き出し通路の下側に設けられた軸を中心に回動するシャッターが開いた状態で、下側吹き出し通路を形成する壁面のうちの下側壁面の一部をシャッターの側面により形成して、下側吹き出し通路の下側壁面に段差がないようにすることによって、侵入した異物が下側吹き出し通路の途中で引っ掛かることがなく、下方の下側吹出口近傍または下側吹出口から外側に出てくるので、異物の除去が容易にできる。
【発明を実施するための最良の形態】
【００１２】
以下、この発明の空気調和機を図示の実施の形態により詳細に説明する。
【００１３】
図１はこの発明の実施の一形態の空気調和機の冷媒回路の回路図を示している。この空気調和機は、図１に示すように、圧縮機１と、上記圧縮機１の吐出側が一端に接続された四路弁２と、上記四路弁２の他端に一端が接続された室外熱交換器３と、上記室外熱交換器３の他端に一端が接続された電動膨張弁４と、上記電動膨張弁４の他端に閉鎖弁１２を介して一端が接続された室内熱交換器５と、上記室内熱交換器５の他端に閉鎖弁１３,四路弁２を介して一端が接続され、他端が圧縮機１の吸入側に接続されたアキュムレータ６とを備えている。上記圧縮機１,四路弁２,室外熱交換器３,電動膨張弁４, 室内熱交換器５およびアキュムレータ６で冷媒回路を構成している。
【００１４】
また、この空気調和機は、室外熱交換器３近傍に配置された室外ファン７と、室内熱交換器５近傍に配置された室内ファン８と、フラップ２４を駆動するフラップ駆動部３２と、シャッター３０(図３に示す)を駆動するシャッター駆動部３１と、上記圧縮機１,電動膨張弁４,室外ファン７,室内ファン８,フラップ駆動部３２,シャッター駆動部３１等を制御する制御装置１１を備えている。
【００１５】
上記制御装置１１は、マイクロコンピュータと入出力回路などからなり、フラップ駆動部３２を制御するフラップ制御部１１aと、シャッター駆動部３１を制御するシャッター制御部１１bとを有する。
【００１６】
上記圧縮機１,四路弁２,室外熱交換器３,電動膨張弁４,アキュムレータ６,室外ファン７および制御装置１１で室外機１０を構成し、室内熱交換器５,室内ファン８,フラップ駆動部３２およびシャッター駆動部３１で室内機２０を構成している。
【００１７】
上記構成の空気調和機において、暖房運転時、四路切換弁２を実線の切換え位置に切り換えて、圧縮機１を起動すると、圧縮機１から吐出された高圧冷媒が四路切換弁２を通って室内熱交換器５に入る。そして、上記室内熱交換器５で凝縮した冷媒は、電動膨張弁４で減圧された後に室外熱交換器３に入る。上記室外熱交換器３で蒸発した冷媒が四路切換弁２およびアキュームレータ６を介して圧縮機１の吸入側に戻る。こうして、上記圧縮機１,室内熱交換器５,電動膨張弁４,室外熱交換器３およびアキュームレータ６で構成された冷媒回路を冷媒が循環して、冷凍サイクルを実行する。そして、室内ファン８により室内熱交換器５を介して室内空気を循環させることにより室内を暖房する。
【００１８】
これに対して、冷房運転時は、四路切換弁２を点線の切換え位置に切り換えて、圧縮機１,室外熱交換器３,電動膨張弁４,室内熱交換器５およびアキュームレータ６の順に冷媒が循環する冷凍サイクルを実行する。
【００１９】
図２は上記空気調和機の床置き型の室内機２０の斜視図を示している。この室内機２０は、図２に示すように、室内の壁面に後面側が取り付けられる略長方形状の底フレーム２１と、上記底フレーム２１の前面側に取り付けられ、前面に略長方形状の開口部２２cを有する前面グリル２２と、前面グリル２２の開口部２２cを覆うように取り付けられた前面パネル２３とを備えている。上記底フレーム２１と前面グリル２２で本体ケーシングを構成している。
【００２０】
上記前面グリル２２の上部に上側吹出口２２aを設けると共に、前面グリル２２の下部に下側吹出口２２bを設けている。上記前面グリル２２の上側吹出口２２aにフラップ２４を設けている。このフラップ２４は、冷房運転および暖房運転時に回動して、上側吹出口２２aから冷風,温風を前方かつ斜め上方に吹き出すようにし、停止時は、図２に示すように、上側吹出口２２aを覆う。
【００２１】
また、上記前面パネル２３の上側に上側吸込口２３aを設け、前面パネル２３の下側に下側吸込口２３bを設け、さらに前面パネル２３の左右の側面に側方吸込口２３c(図２では右側のみを示す)を設けている。
【００２２】
また、図３は上記空気調和機の室内機２０の断面図を示しており、図３に示すように、底フレーム２１の略中央にモータ２６を固定している。このモータ２６の軸が接続された送風用のファンの一例としての室内ファン８を、軸が前後方向になるように底フレーム２１に配置している。上記室内ファン８は、前面側から吸い込んだ空気を軸に対して半径方向外向に吹き出すターボファンである。また、上記底フレーム２１に室内ファン８の前面側にベルマウス２７を設けている。そして、上記ベルマウス２７の前面側に室内熱交換器５を配置し、その室内熱交換器５の前面側に前面グリル２２を取り付け、その前面グリル２２の前面側に前面パネル２３を取り付けている。上記前面グリル２２の開口部２２ｃにフィルタ２５を取り付けている。また、上記ベルマウス２７の下部かつ室内熱交換器５の下側には、ドレンパン２８を配置している。
【００２３】
また、前面グリル２２の上側吹き出し通路Ｐ１の上側吹出口２２aに、吹き出し方向を上下方向に制御するフラップ２４を配置している。このフラップ２４は、底フレーム２１側に設けられた軸(図示せず)を中心にフラップ駆動部３２(図１に示す)により回動し、一点鎖線で示すＡ１が開状態であり、実線で示すＢ１が閉状態である。
【００２４】
一方、前面グリル２２の下側吹き出し通路Ｐ２内に、下側吹出口２２bを開閉するシャッター３０を配置している。このシャッター３０は、底フレーム２１側かつ下側吹き出し通路Ｐ２の下側に設けられた軸３０aを中心にシャッター駆動部３１(図１に示す)により回動し、一点鎖線で示すＡ２が全開状態であり、Ｂ２が全閉状態である。上記シャッター３０が開いた状態では、下側吹き出し通路Ｐ２を形成する壁面のうちの下側壁面の一部をシャッター３０の側面により形成して、下側吹き出し通路Ｐ２の下側の湾曲した傾斜面に段差がないようにしている。
【００２５】
上記室内ファン８によって前面グリル２２の開口部２２c側から吸い込んだ空気を軸に対して半径方向外向に吹き出すことにより、上側吹き出し通路Ｐ１を介して上側吹出口２２aから斜め上前方に空気を吹き出す一方、下側吹き出し通路Ｐ２を介して下側吹出口２２bから前方に空気を吹き出す。
【００２６】
次に、上記空気調和機の制御装置１１の停止動作を図４に示すフローチャートにより説明する。なお、この停止処理は、冷暖房運転中に繰り返し行われる。
【００２７】
停止処理がスタートすると、ステップＳ１で運転停止か否かを判定し、運転停止と判定すると、ステップＳ２に進む一方、運転停止でないと判定すると、この処理を終了する。
【００２８】
次に、ステップＳ２でフラップ駆動部３２によりフラップ２４を回動させて閉状態とすることにより上側吹出口２２aを閉めて、ステップＳ３に進む。
【００２９】
次に、ステップＳ３でシャッター３０が閉じた状態か否かを判定して、シャッター３０が閉じた状態であると判定すると、ステップＳ４に進む一方、シャッター３０が閉じた状態でないと判定すると、この処理を終了する。
【００３０】
次に、ステップＳ４でシャッター駆動部３１によりシャッター３０を開けて、下側吹出口２２bを全開状態にし、この処理を終了する。
【００３１】
図５は上記空気調和機の室内機２０のフラップ２４とシャッター３０の動作状態を示す模式図を示しており、図５(a)〜図５(d)において、８は室内ファンを示している。
【００３２】
図５(a)はフラップ２４を回動させて上側吹出口２２aを開き、下側吹出口２２bを開閉するシャッター３０が軸３０aを中心に回動することを示し、図５(b)は上側吹出口２２aを開いた状態で、下側吹出口２２bをシャッター３０により閉じた状態を示している。また、図５(c)は上側吹出口２２aを開いた状態で、シャッター３０を下側吹き出し通路Ｐ２の下側壁面に沿うように後面側に倒して、下側吹出口２２bを開いた状態を示している。
【００３３】
ここで、図５(b)の状態で上側吹出口２２aから異物が混入した後、図５(c)のようにシャッター３０を回動させると、図５(d)に示すように異物５０によりシャッター３０の動作に不具合を生じることになる。
【００３４】
これに対して、この発明の実施の形態の空気調和機によれば、運転停止時にシャッター駆動部３１によりシャッター３０を駆動して下側吹出口２２bを全開状態にすることによって、上側吹出口２２aから異物が誤って入っても、下側吹出口２２bから異物を容易に取り出すことができ、異物によるシャッター３０の開閉動作の不具合を防止できる空気調和機を実現することができる。
【００３５】
また、上記下側吹き出し通路Ｐ２の下側に設けられた軸３０aを中心にシャッター３０を回動させて下側吹出口２２bを全開にした状態で、下側吹き出し通路Ｐ２を形成する壁面のうちの下側壁面の一部をシャッター３０の側面により形成して、下側吹き出し通路Ｐ２の下側の湾曲した傾斜面に段差がないようにすることによって、侵入した異物が下側吹き出し通路Ｐ２の途中で引っ掛かることがなく、下方の下側吹出口２２b近傍または下側吹出口２２bから外側に出てくるので、異物の除去が容易にできる。
【００３６】
上記実施の形態では、前面側から吸い込んだ空気を軸に対して半径方向外向に吹き出すターボファンを室内ファン８に用いた空気調和機について説明したが、送風用のファンはこれに限らず、他の遠心ファン等を用いた空気調和機にこの発明を適用してもよい。
【００３７】
また、上記実施の形態では、室外機と室内機を備えたセパレートタイプの空気調和機について説明したが、他の構成の空気調和機にこの発明を適用してもよい。
【図面の簡単な説明】
【００３８】
【図１】図１はこの発明の実施の一形態の空気調和機の冷媒回路の回路図である。
【図２】図２は上記空気調和機の床置き型の室内機の斜視図である。
【図３】図３は上記空気調和機の室内機の断面図である。
【図４】図４は上記空気調和機の制御装置の動作を説明するフローチャートである。
【図５】図５は上記空気調和機の室内機のフラップとシャッターの動作状態を示す模式図である。
【符号の説明】
【００３９】
１…圧縮機
２…四路弁
３…室外熱交換器
４…電動膨張弁
５…室内熱交換器
６…アキュムレータ
７…室外ファン
８…室内ファン
１０…室外機
１１…制御装置
１１a…フラップ制御部
１１b…シャッター制御部
１２,１３…閉鎖弁
２０…室内機
２１…底フレーム
２２…前面グリル
２２a…上側吹出口
２２b…下側吹出口
２２c…開口部
２３…前面パネル
２３a…上側吸込口
２３b…下側吸込口
２３c…側方吸込口
２４…フラップ
２５…フィルタ
２６…モータ
２７…ベルマウス
３０…シャッター
３１…シャッター駆動部
３２…フラップ駆動部
Ｐ１…上側吹き出し通路
Ｐ２…下側吹き出し通路